(57)【要約】【課題】ゴルフのティーショットの際、ティーが折れたり、地面から抜き出て飛ばされたりすることがなく、さらにティーの差し込む深さを適確に設定することで、ティーの高さ調節を可能にしたゴルフティーを提供する。【解決手段】地面に差し込む差込部２を硬質部材とし、ゴルフボールを載せる載置部３を柔軟性部材とするゴルフティーであって、前記差込部２に、ゴルフティーを地中に差し込む深さを設定できる高さ調節部１０を設けた。また前記差込部に抜止部２０を形成した。【選択図】図１
2012120743.tif 000002
【特許請求の範囲】
【請求項１】
地面に差し込む差込部を硬質部材とし、ゴルフボールを載せる載置部を柔軟性部材とするゴルフティーであって、前記差込部に、ゴルフティーを地中に差し込む深さを設定できる高さ調節部を設けたことを特徴とするゴルフティー。
【請求項２】
前記高さ調節部が、差込部周囲に形成された複数の凹溝と、該凹溝内に着脱自在に装着されるリング部材とからなる請求項１記載のゴルフティー。
【請求項３】
前記差込部に抜止部を形成した請求項１または２記載のゴルフティー。
【請求項４】
前記抜止部が凸状の線状抜止部であり、差込部周囲に傾斜状に形成されている請求項１乃至３のうちいずれか一項に記載のゴルフティー。
【請求項５】
前記抜止部が凸状の線状抜止部であり、差込部周囲に水平状に形成されている請求項１乃至３のうちいずれか一項に記載のゴルフティー。
【請求項６】
前記抜止部が凸状の円形抜止部であり、差込部周囲に形成されている請求項１乃至３のうちいずれか一項に記載のゴルフティー。
【請求項７】
前記抜止部が、径の異なる円形抜止部を組み合わせて形成されている請求項６記載のゴルフティー。
【請求項８】
前記抜止部が、線状抜止部と円形抜止部とを組み合わせて形成されている請求項１乃至７のうちいずれか一項に記載のゴルフティー。
【請求項９】
前記差込部が、硬質樹脂で形成されている請求項１乃至８のうちいずれか一項に記載のゴルフティー。
【請求項１０】
前記載置部が、軟質樹脂で形成されている請求項１乃至８のうちいずれか一項に記載のゴルフティー。
【請求項１１】
前記載置部が、軟質ゴムで形成されている請求項１乃至８のうちいずれか一項に記載のゴルフティー。
【発明の詳細な説明】
【技術分野】
【０００１】
本発明は、ゴルフのティーショットの際、ティーが折れたり、紛失したりすることがなく、さらにティーの差し込む深さを適確に設定することができるゴルフティーに関する。
【背景技術】
【０００２】
ゴルフでティーショットをする際、通常、ゴルフボールをティーに載せた状態からゴルフクラブで打つ。一般的なティーは、地面に差し込む差込部と、ゴルフボールを載せる載置部とからなり、全体が一体的に形成された木製やプラスチック製のものが多く使用されている。
【０００３】
しかし、木製やプラスチック製で形成されたティーは、打球の際、クラブヘッドの打撃によりボールと一緒にティーが飛んでしまい、探すのに手間が掛かるという問題があった。また、ティー自体も強打されるので、割れて使えなくなることもあった。そのため、ゴルフプレーの最中に複数のティ−を持ち歩く必要があった。
【０００４】
これらの問題を解消するために、特許文献１では１つのティーで高さ調節が自在にでき、横方向の打撃を受けたときにも、打撃力に対する抵抗が弱められ、かつ、ティーが飛ばされてしまう可能性が少ないゴルフ用ティーが報告されている。
【０００５】
上掲特許文献１に記載されたゴルフ用ティーは、先端が先細になり、他端側に横方向に張り出したフランジが形成された脚部と、前記フランジから前記先端とは反対方向に延びる支持軸部とからなるティー本体と、一端にボール受け部が形成され、前記ティー本体の前記支持軸部に係合する軸方向孔を有するボール受け部材と、からなり、前記ティー本体の前記支持軸部には外面に雄ねじが形成され、前記ボール受け部材の前記軸方向孔には、前記ティー本体の前記支持軸部の雄ねじにねじ係合する雌ねじが形成され、前記ボール受け部材は、ねじ係合により前記ティー本体の前記支持軸部に対し軸線方向の無段階的に異なる位置に保持できるようになっている。
【０００６】
しかしながら、上掲特許文献１のゴルフ用ティーにおいては、ティーの高さを調節する構造が複雑で製造工程が多く、コストアップに繋がるという問題があった。また打球の際、クラブヘッドの打撃によっては、ティー本体が脚部から飛ばされてしまうことも懸念され、その場合にはティー本体を探して再度脚部に装着させなければならず、プレーの最中に時間をロスすることにもなりかねなかった。
【０００７】
このような問題を解消し得るティーとして、本出願人は先に、ティーショットの際、ティーが折れたり、紛失したりすることがないゴルフティーを提案している（特許文献２）。
【０００８】
上掲特許文献２に記載されたゴルフティーは、地面に差し込む差込部と、ゴルフボールを載せる載置部とからなるゴルフティーにおいて、前記差込部を硬質部材とし、前記載置部を柔軟性部材としたことを特徴としており、前記差込部は、好ましくは硬質樹脂で形成され、また前記載置部は、好ましくは柔軟性を有する軟質樹脂で形成されている。
【先行技術文献】
【特許文献】
【０００９】
【特許文献１】特開２０１０−６９０４３号公報（特許請求の範囲等）
【特許文献２】実用新案登録第３１６４０７４号（実用新案登録請求の範囲等）
【発明の概要】
【発明が解決しようとする課題】
【００１０】
上掲特許文献２に記載されたゴルフティーは、差込部を硬質部材とし、載置部を柔軟性部材としたことで、ゴルフボールを載置部に載せた状態でゴルフクラブで打球すると、硬質部材からなる差込部はそのままの状態で、柔軟性部材からなる載置部のみが撓った状態で折れ曲がり、しかる後元の状態に復元されるため、ティーショットの際、ティーが折れたり飛ばされたりする虞がなく、繰り返し使用することができるという利点がある。
【００１１】
しかしながら、ビギナーが打球した際など、ゴルフクラブが直接ティーの下部に当たった場合や、クラブヘッドがボールに当たる前に地面に当たる、所謂ダフリをした場合には、やはりティーが地面から抜け出るおそれがあった。また、上掲特許文献２におけるゴルフティーは、ティーショットの際、ティーの差し込む深さを適確に設定することができるような構造は有していなかった。
【００１２】
そこで本発明の目的は、如何なる打球においても、ティーショットの際、ティーが折れたり、地面から抜き出て飛ばされたりすることがなく、さらにティーの差し込む深さを適確に設定することで、ティーの高さ調節を可能にしたゴルフティーを提供することにある。
【課題を解決するための手段】
【００１３】
上記課題を解決するために、本発明のゴルフティーは、地面に差し込む差込部を硬質部材とし、ゴルフボールを載せる載置部を柔軟性部材とするゴルフティーであって、前記差込部に、ゴルフティーを地中に差し込む深さを設定できる高さ調節部を設けたことを特徴とするものである。本発明の好適実施形態を以下に列挙する。
【００１４】
前記高さ調節部は、差込部周囲に形成された複数の凹溝と、該凹溝内に着脱自在に装着されるリング部材とからなる。
【００１５】
前記差込部に抜止部が形成されている。
【００１６】
前記抜止部が凸状の線状抜止部であり、差込部周囲に傾斜状に形成されている。
【００１７】
前記抜止部が凸状の線状抜止部であり、差込部周囲に水平状に形成されている。
【００１８】
前記抜止部が凸状の円形抜止部であり、差込部周囲に形成されている。
【００１９】
前記抜止部が、径の異なる円形抜止部を組み合わせて形成されている。
【００２０】
前記抜止部が、線状抜止部と円形抜止部とを組み合わせて形成されている。
【００２１】
前記差込部が、硬質樹脂で形成されている。
【００２２】
前記載置部が、軟質樹脂で形成されている。
【００２３】
前記載置部が、軟質ゴムで形成されている。
【発明の効果】
【００２４】
本発明のゴルフティーによれば、地面に差し込む差込部を硬質部材とし、ゴルフボールを載せる載置部を柔軟性部材とするゴルフティーであるため、ゴルフのティーショットの際、ティーが折れたり、地面から抜き出て飛ばされたりすることがない。また、前記差込部に、ゴルフティーを地中に差し込む深さを設定できる高さ調節部を設けたことにより、ティーの差し込む深さを適確に設定することができることで、載置したボールを高い確立で好適にショットすることができる。
【００２５】
さらに、前記差込部に、凸状の線状抜止部、凸状の円形抜止部を形成することにより、打球の際、載置部に強い衝撃を受けた場合、ゴルフクラブが直接ティーの下部に当たった場合、更にはクラブヘッドがボールに当たる前に地面に当たる、所謂ダフリをした場合でも、ティーが地面から抜け出る可能性が軽減される。
【図面の簡単な説明】
【００２６】
【図１】本発明のゴルフティーの全体斜視図である。
【図２】図１に示すゴルフティーの断面図である。
【図３】高さ調節部を示す正面図である。
【図４】傾斜状に形成された線状抜止部を備えた差込部の正面図である。
【図５】水平状に形成された線状抜止部を備えた差込部の正面図である。
【図６】円形抜止部を備えた差込部の正面図である。
【図７】径の異なる円形抜止部を備えた差込部の正面図である。
【図８】線状抜止部および円形抜止部を備えた差込部の正面図である。
【図９】本発明のゴルフティーの使用状態を示す全体図である。
【図１０】本発明のゴルフティーの使用状態図である。
【発明を実施するための形態】
【００２７】
以下、本発明のゴルフティーにおける実施の形態を図面に基づいて説明する。
【００２８】
図示する本発明の一実施形態に係るゴルフティー１は、地面に差し込む差込部２と、ゴルフボールＢを載せる載置部３とからなり、差込部２が硬質部材、載置部３が柔軟性部材で夫々構成されている。これにより、ティーショットの際、ティーが折れたり、紛失したりすることを軽減することができる。
【００２９】
本発明のゴルフティー１を構成する差込部２は、ゴルフティー１を地面に差し込みやすいように先端が先細のテーパ状に形成されている。また、載置部３は、上部が広口の漏斗状を呈しており、上部中央部分は、ゴルフボールＢを載置する凹部４が形成されている。さらに、図示例では凹部４の上部周縁には、ゴルフボールＢを良好に保持するために保持体５が複数設置されているが、保持体５は必ずしも必要ではなく、ゴルフボールＢを置くことができれば凹部４のみであってもよい。
【００３０】
図２に示すように、差込部２及び載置部３は、連結部６を介して上下が連結された状態で形成されているが、差込部２と載置部３とを樹脂材の他、充填剤や可塑剤等の添加量を変えることにより一体的に成形してもよい。
【００３１】
また、特に、差込部２を構成する硬質部材は、好適には硬質樹脂で形成されている。硬質樹脂の素材としては、エチレン、プロピレン、塩化ビニル、スチレン、アミド等の重合体の熱可塑性樹脂や、メラミン樹脂、フェノール樹脂、アクリル樹脂等の熱硬化性樹脂等などが挙げられる。
【００３２】
また、載置部３を構成する柔軟性部材は、差込部２より柔軟性を有する軟質樹脂で形成されている。軟質樹脂の素材としては、差込部２の硬質樹脂より可塑剤の量を多くするなどして柔らかく形成されたポリオレフィン系樹脂、エステル系樹脂、ポリウレタン系樹脂、ポリアミド系樹脂等が挙げられる。
【００３３】
さらに、載置部３を差込部２より柔軟性を有する軟質ゴムで形成してもよい。軟質ゴムとしては、フッ素ゴム、シリコーンゴム、ウレタンゴム、ブチルゴム等の合成ゴムや天然ゴムを挙げることができる。
【００３４】
なお、載置部３を形成する柔軟性部材は、差込部２より柔軟性を有する素材であり、打球時に撓った状態で折れ曲がるものであれば、上記の素材に限定されるものではない。
【００３５】
ゴルフティー１の成形の一例としては、先ず、硬度が高い硬質部材にて差込部２を形成する。この際、載置部３との連結を高めるために、例えば、差込部２の上部に凹凸状の連結材７を形成する。
【００３６】
次に、差込部２の上部に、柔軟性を有する柔軟性部材からなる載置部３を形成する。この際、インサート成形により、差込部２の上部に柔軟性部材を注入して載置部３を好適に形成することができる。また上述したように、差込部２と載置部３とを樹脂材の原料の他、充填剤や可塑剤の添加量を変えることにより一体的に形成してもよい。
【００３７】
差込部２を硬質部材とし、載置部３を柔軟性部材としたことで、ゴルフボールＢを載置部３に載せた状態からゴルフクラブで打球すると、柔軟性部材からなる載置部３が撓った状態で折れ曲がった後、元の状態に復元されるため、ティーショットの際、ティーが折れる虞がない。
【００３８】
また、差込部２が硬質部材にて形成されているため、地中への差し込みが容易であるとともに、打球の際、載置部３に強い打撃を受けても、その力は載置部３で吸収され、差込部２が地中から抜け出て飛ばされることもない。
【００３９】
また、本発明のゴルフティー１は、前記差込部２に、ゴルフティーを地中に差し込む深さを設定できる高さ調節部１０を設けたことを特徴とする。図示する高さ調節部１０は、差込部２の周囲に形成された複数の凹溝１１と、かかる凹溝１１内に着脱自在に装着されるリング部材１２からなる。
【００４０】
高さ調節部１０における凹溝１１は、差込部２の上部に複数（図中３箇所）等間隔に設けられており、かかる凹溝１１にはリング部材１２が装着されている。リング部材１２は、複数の凹溝１１に着脱自在で、さらに装着箇所を自在に変更できるように伸縮自在のゴム部材で形成することが好ましい。差込部２に凹溝１１を備え、リング部材１２を任意の凹溝１１内に装着することにより、図９に示すように、ティーの差し込む深さを適確に設定することができ、ティーの高さを自在に調節することが可能となり、ティーに載置したボールＢを理想的な高さで好適にショットすることができる。
【００４１】
また、本発明のゴルフティー１には、差込部３に抜止部２０が形成されている。抜止部２０は凸状に形成されており、前記高さ調節部１０の下方であって、差込部３の中央から下部にかけて備えられている。差込部３に抜止部２０を備えることにより、打球の際、載置部に強い衝撃を受けた場合、ゴルフクラブが直接ティーの下部に当たった場合、あるいはクラブヘッドがボールに当たる前に地面に当たる、所謂ダフリをした場合でも、凸状の抜止部２０によりティーが地面から抜け出るのを防止することができる。
【００４２】
抜止部２０の一例として、図４に示すように、凸状の線状抜止部２１を、差込部２周囲に傾斜状に複数備えたものが挙げられる。また、図５に示すように、凸状の線状抜止部２１を、差込部２周囲に水平状に複数備えたものでもよい。
【００４３】
さらに、抜止部２０の他の一例として、図６に示すように、凸状の円形を呈した円形抜止部２２を差込部周囲に複数形成してもよい。さらにまた、図７に示すように、抜止部２０は、径の異なる小径抜止部２３および大径抜止部２４を組み合わせて形成してもよい。さらにまた、図８に示すように、線状抜止部２１と円形抜止部２２を組み合わせて形成してもよい。
【００４４】
次に、本発明のゴルフティーの使用方法を図１０の（ａ）、（ｂ）に基づいて説明する。
【００４５】
（ａ）においては、ゴルフティー１の差込部２を地面に差し込んだ状態を示す。この際、予め、高さ調節部１０の任意の凹溝１１にリング部材１２を装着しておく。この状態で、通常のようにゴルフティー１を地中に差し込むと、差込部２の周囲より突出したリング部材１２が地表部分で係止され、ティーを所定の高さで立設させることができる。所定の高さでティーを立設させた後、載置部３にゴルフボールＢを載せ、通常のティーショットのように、ゴルフクラブにてゴルフボールＢを打球する。
【００４６】
（ｂ）においては、ゴルフクラブにてゴルフボールＢを打球した直後の状態を示す。ゴルフクラブで打球すると、ゴルフボールＢは前方に打ち出され、同時にゴルフティー１の載置部３も前方に打撃される。すると、柔軟性部材にて形成された載置部３は、撓った状態で折れ曲がった後、元の状態に復元される。このため、ゴルフクラブによる強い衝撃を受けても、載置部３がその力を吸収することができる。よって、硬質部材にて形成されている差込部２が地中から抜け出て飛ばされたり折れたりすることがない。
【００４７】
また、ゴルフティー１には、差込部３に凸状の抜止部２０が形成されているため、打球の際、載置部に強い衝撃を受けた場合、ゴルフクラブが直接ティーの下部に当たった場合、またクラブヘッドがボールに当たる前に地面に当たる、所謂ダフリをした場合でも、抜止部２０が地中に係止され、ティーが地面から抜け出る可能性がさらに低減される。
【００４８】
上述の如く、本発明のゴルフティーによれば、地面に差し込む差込部２と、ゴルフボールＢを載せる載置部３とからなり、差込部２を硬質部材とし、載置部３を差込部２より柔軟性を有する柔軟性部材としたことで、ゴルフボールＢをゴルフクラブで打球しても、載置部３が折れたり粉砕したりすることがない。また、差込部３に凸状の抜止部２０が形成されているため、差込部２が地中から抜け出たりすることを防止することができる。このため、プレーの最中に複数のティーを持ち歩く必要がなく、またティーを探す手間も省くとこができる。さらに、ティーの高さを任意に調整できるため、ティーに載置したボールを理想的な高さで好適にショットすることが可能となる。
【符号の説明】
【００４９】
１  ゴルフティー
２  差込部
３  載置部
４  凹部
５  保持体
６  連結部
７  連結材
１０  高さ調節部
１１  凹溝
１２  リング部材
２０  抜止部
２１  線状抜止部
２２  円形抜止部
２３  小径抜止部
２４  大径抜止部
Ｂ  ゴルフボール
【図１】
2012120743.tif 000003
【図２】
2012120743.tif 000004
【図３】
2012120743.tif 000005
【図４】
2012120743.tif 000006
【図５】
2012120743.tif 000007
【図６】
2012120743.tif 000008
【図７】
2012120743.tif 000009
【図８】
2012120743.tif 000010
【図９】
2012120743.tif 000011
【図１０】
2012120743.tif 000012